(57)【特許請求の範囲】
【請求項１】
ベース部を有し高さ調整可能な柱材と、隣接する柱材を相互に連結する梁材と、ポール上の幕支持部材により保持され柱材の頂部を角部として斜めに展開する脱着可能な幕を備えるテントにおいて、前記柱材は、ピン孔を複数穿設する内管と、巻装する弾性部材で内方に付勢するピンを端部に装着する外管を有すると共にその内管の下端は、ジャッキベースのボルトを挿入し得る内径を有し、前記ベース部は、上面に柱材下端嵌入用の凹部と、下面にジャッキナットの腕部に嵌合する複数本の溝と、ジャッキベースのボルトを挿通する中心孔と、幕端部より垂下するロープの係止フックを備えることを特徴とするテント。
【請求項２】
前記柱材は、外管端部より突設して内管を包囲する継手補強管を有することを特徴とする請求項１記載のテント。
【請求項３】
前記柱材は、遊挿する内管の挿入側端部に付設して外管内面に弾性的に当接する間隙保持材と、外管端部内面にあって内管に密着するスペーサと、外管に周設するピン取付用帯材を有し、前記スペーサは外管及び帯材の係止孔に貫入する突起を設けることを特徴とする請求項１記載のテント。
【請求項４】
前記幕支持部材は、ポール先端に係止して鍔部を突設するボルトと、このボルトを挿通して鍔部上に幕及びシール材を挟持する二枚の椀状部材と、この椀状部材の上方より前記ボルトに螺合するナットを有することを特徴とする請求項１記載のテント。
【発明の詳細な説明】
【０００１】
【発明の属する技術分野】
この発明は、幕支持部材により保持され高さ調整可能な柱材の頂部を角部として斜めに展開する脱着可能な幕を備えるテントに関する。
【０００２】
【従来の技術】
テントの柱材で高さ調整が可能なものは、一般的に伸縮可能な二重管構造とし、これらに穿設するピン孔にピンを適宜挿入することで高さ調整を行っている。従来の柱材の二重管は、内管に装着するピンで外管を係止する構造で、ピンは内管内に収容する弾性部材によって外方に付勢されていた。又柱材下端にボルト付ベースを螺着して、これにより高さの微調整を行うものもあった。又テントの幕は内部に立設するポール上にコーン状の幕支持部材を装着し、このコーンに幕の頂部を載置して展開するのが一般的であった。
【０００３】
【発明が解決しようとする課題】
しかし、従来の柱材の二重管は、その伸縮時にピンを内部に押し込むことで相互の係止を解く構成であったため、押し込み時に指がピン孔に入り込むとスライドする柱材に挟み込まれて怪我をする恐れがあった。又、最大高さまで伸長すると二重管のラップ長が少なくなるので継手部がぐらつく欠点もあった。又高さの微調整は、下端に捻じ込む細径のボルトで行っていたためその調整代は極僅かなものであった。又従来のテントにおいて幕は、幕支持部材に載置するだけの構成であったため、強く張ると頂部がずれてしまう場合があった。
【０００４】
この発明は、上記課題を解決し、伸縮時に指をピン孔に入れて怪我をする心配が無く、最大高さまで伸長しても継手部がぐらつかないテントを提供することを目的としている。又高さの微調整が安定的に広範囲に亘って行えるテントを提供することを目的としている。又幕を強く張っても幕支持部材から頂部がずれてしまう恐れのないテントを提供することを目的としている。
【０００５】
【課題を解決するための手段】
上記課題を解決するため、この発明のテントの柱材は、ピン孔を複数穿設する内管と、巻装する弾性部材で内方に付勢するピンを端部に装着する外管を有すると共にその内管の下端は、ジャッキベースのボルトを挿入し得る内径を有し、前記ベース部は、上面に柱材下端嵌入用の凹部と、下面にジャッキナットの腕部に嵌合する複数本の溝と、ジャッキベースのボルトを挿通する中心孔と、幕端部より垂下するロープの係止フックを備えることを特徴とするものである。弾性部材は外管外部にあってピンを管中心方向に付勢しており選択された内管のピン孔に挿入される。係止を解く場合にはピンを外部に引き出す。伸縮時にはピンの頭部が内管外面を摺接するので、弾性部材の強度やピン頭部の材質を考慮して柱材に傷が付かないようにする。
【０００６】
柱材は、請求項２に記載するように外管端部より突設して内管を包囲する継手補強管を有することが望ましい。継手補強管は内管に密着する形状で柱材を伸長して二重管のラップ長さが短くなった場合に継手部を補強する。これらピン及び継手補強管は外管に夫々固着する構成でもよいし、二重管に脱着可能な筒体にこれらの機能を持たせるものでもよい。
【０００７】
又請求項３記載に記載するように、遊挿する内管の挿入側端部に付設して外管内面に弾性的に当接する間隙保持材と、外管端部内面にあって内管に密着するスペーサと、外管に周設するピン取付用帯材を有し、前記スペーサは外管及び帯材の係止孔に貫入する突起を設けるものでもよい。内管が外管に遊挿される場合にはガタツキを防止するため、継手部にスペーサを介在して空隙を無くすと同時に継手部から離れた内管端部の傾斜も防止する。
【０００８】
スペーサは内管の摺接移動が容易で、取付時に変形可能な素材を選択する。外管と帯材には同一位置に複数の係止孔を穿設し、スペーサの突起を貫入する。帯材はこの突起の存在により上下方向のずれが防止される。
【０００９】
柱材のベース部は単独で用いることもできる。ジャッキベースを併用する場合には溝に腕部を嵌合し高さ調整する。溝は複数本設け係止フックの位置を適宜調整する。
【００１０】
請求項４記載のテントの幕支持部材は、ポール先端に係止して鍔部を突設するボルトと、このボルトを挿通して鍔部上に幕及びシール材を挟持する二枚の椀状部材と、この椀状部材の上方より前記ボルトに螺合するナットを有することを特徴とするものである。ボルトとポール先端の係止は、ボルトより延伸する軸体をポール先端に穿設する穴に挿入して行うが、この軸体はボルトから突設する部材でもよいし、ボルト中心に貫通孔を設けこれに外方より軸体を挿通する構成でもよい。幕は頂部にボルト突出用の開口部を設ける。幕をセットする場合にはポール先端にボルトと下側椀状部材を取り付け、次に幕、シール材及び上側椀状部材を載せ、これらをナットで締め付け幕の固定と防水を図る。
【００１１】
【発明の実施の形態】
次にこの発明の実施の形態を添付図面に基づき詳細に説明する。図１は幕を省略したテントの斜視図である。テント１は、４本の柱材２と、この柱材２同士を連結する４面の側面リンク部材３と、柱材２の対角線上に配設する屋根リンク部材４を有する。
【００１２】
各柱材２の頂部には端部ジョイント５を冠着し、その下方にスライドジョイント６を遊挿する。側面リンク部材３は、対向する端部ジョイント５及びスライドジョイント６を夫々連結する端部フレーム７とスライドフレーム８を有し、このスライドフレーム８は端部ジョイント５に接続する端部クロス材９に支持され、端部フレーム７はスライドジョイント６に接続するスライドクロス材１０に支持される。又端部フレーム７及びスライドフレーム８は何れも中央にヒンジジョイント１１を備え、このヒンジジョイント１１間には束材１２を介入することができる。
【００１３】
各端部フレーム７とスライドフレーム８は、全ての格点部分がヒンジ結合となっており、束材１２を取り外してスライドジョイント６を上下動させれば、その長さを変化させることができる。この伸縮時にすれ違いが可能なように両フレームの取付位置を平面的にずらして設置する。例えば端部フレーム７は柱材２の外方に取り付け、スライドフレーム８は内方に取り付ける。
【００１４】
屋根リンク部材４は、端部ジョイント５よりテント中央部に向かって延伸するブラケット材１３と、このブラケット材１３にヒンジ結合するトップフレーム１４と、４本のトップフレーム１４を連結するトップジョイント１５を有し、ブラケット材１３はスライドジョイント６に接続する方づえ１６に支持される。この屋根リンク部材４も全ての格点部分がヒンジ結合となっており、スライドジョイント６の上下動に伴って、その長さが変化する。
【００１５】
柱材２は、外管２ａに挿入する内管２ｂを伸長しながら継手部１７に設けるピン１８を適宜操作することで所望の長さで停止できる部材であって、内管２ｂの下端には基礎部１９を備える。トップジョイント１５は上面にポール２０を突設し、これに載置する幕支持部材２１により幕２２を保持する。
【００１６】
次に柱材の継手部の詳細を図２に基づき説明する。図２は継手部の断面図である。内管２ｂには所定間隔でピン孔２ｃを穿設し、外管２ａ下端に装着する継手部１７のピン１８を挿入する。継手部１７は脱着可能な段差付の筒体であって、外管包囲部１７ａと内管包囲部１７ｂ及びピン保持部１７ｃを備える。
【００１７】
ピン保持部１７ｃは、ピン１８に巻装するコイルバネ２３を内方で係止し、これによりピン１８を内管側に付勢している。ピン１８をピン孔２ｃから外す場合にはコイルバネ２３の弾性力に抗してピン１８を外部に引き出す。内管包囲部１７ｂは内管２ｂに密着する形状で二重管のラップ長が短くなった場合に継手部がぐらつかないよう補強する。
【００１８】
ここでコイルバネ２３の弾性力は、摺接移動時に内管表面に傷を付けず、しかも確実にピン孔２ｃにピン１８を挿入し得る強さに設定する。又ピン頭部や内管表面に摺接移動に適する素材、例えば合成樹脂材を取り付ける構成でもよい。
【００１９】
他の実施形態における継手部の構成を図３に基づき説明する。図３は内管が外管に遊挿される場合の継手部の構成を示す。なお図３において図２と同様な構成及び作用を備える部材は同一の符号を付して説明は省略する。内管２ｂの伸縮動作をスムーズに行うためには、内管２ｂと外管２ａの間に適当なクリアランスを設ける方が望ましいが、これによって生ずる両者のガタツキを防止しなければならない。
【００２０】
このため、内管２ｂの挿入側端部には間隙保持材３０を、外管２ａの端部内面にはスペーサ３１を付設する。間隔保持材３０は内管２ｂの横断方向に収納する円筒体３０ａと、その内部に設けるコイルバネ３０ｂと、これに押圧される移動体３０ｃと、その端部に設ける摺動可能な材質からなる当接部３０ｄを備え、外管２ａの内面に弾性的に当接して内管端部の傾斜を防止する。
【００２１】
一方スペーサ３１は内管２ｂと外管２ａの間に生ずるクリアランスをなくすための部材であって、合成樹脂製の板材を適宜切込加工して挿入する。継手部１１７は外管２ａに周設する帯材１１７ａにピン１８を装着するもので、外管２ａと帯材１１７ａには同一位置に複数の係止孔２ｄ，１１７ｂを穿設し、スペーサ３１の突起３１ａを挿入時に貫入する。帯材１１７ａはこの突起３１ａに係止されるので柱材２の伸縮時に外管端部に衝撃力が作用しても上下方向のずれが防止される。
【００２２】
次に基礎部の詳細を図４及び図５に基づき説明する。図４は内管を支持する基礎部の平面図、図５は図４のＶ−Ｖ断面を示す断面図である。基礎部１９は、内管２ｂの下端に取り付けるベース部２４と、これを支持するジャッキベース２５を有し、ベース部２４は、内管２ｂ嵌入用の凹部２４ａと、ジャッキベース２５のボルト２５ａを挿通する中心孔２４ｂと、ジャッキナット２５ｂの腕部２５ｃに嵌合する溝２４ｃと、幕の端部より垂下する図示しないロープの係止フック２４ｄを備え、ボルト２５ａは凹部２４ａ下面で支持する内管２ｂ内に貫入する。
【００２３】
ジャッキベース２５を用いて高さ調整を行う際には、ベース部２４をジャッキナット２５ｂと一体に回転させる。溝２４ｃを複数本設けると、回転時に移動する係止フック２４ｄの位置をロープに合わせて修正することができる。なお、ジャッキベース２５を取り外してベース部２４を単独で用いることもできる。
【００２４】
次にテントの幕支持部材を図６に基づき説明する。図６は幕支持部材の断面図である。幕支持部材２１は、軸付ボルト２６と椀状部材２７及びナット２８からなる。軸付ボルト２６は、下方に軸足２６ａを突設してポール２０の先端に穿設する穴２０ａに挿入する。又上方には旗材２９を支持するための棒状突起２６ｂを延伸し、ねじ部下端には鍔部２６ｃを突設する。
【００２５】
椀状部材２７は下側椀状部材２７ａと上側椀状部材２７ｂ及びこれらの間にあるゴム板状のシール材２７ｃからなり、ボルト突出用の開口部を設ける幕２２をナット２８で鍔部２６ｃに締め付けその固定と防水を図る。なお、この実施形態では軸付ボルト２６を用いているが、ボルト中心に貫通孔を設け旗材の軸を挿通し、これをポール２０の穴２０ａに挿入する構成としてもよい。
【００２６】
【発明の効果】
以上説明したように、この発明のテントの柱材は、内方に付勢するピンを外管に装着するので、伸縮時に指をピン孔に入れて怪我をする恐れが無い。又ジャッキベースと併用可能なベース部を備えるので、高さの微調整が安定的に広範囲に亘って行える。請求項２記載のテントの柱材は、内管を包囲する継手補強管を有するので、二重管のラップ長が短くなった場合にも継手部がぐらつかない。又請求項３記載のテントの柱材は、間隙保持材とスペーサを設けるので内管が外管に遊挿される場合でもガタツキが防止でき、継手部から離れた内管端部の傾斜も防止できる。又スペーサの突起が帯材の係止孔に貫入するので帯材の上下方向のずれが防止される。
【００２７】
請求項４記載のテントの幕支持部材は、ポール先端に係止するボルト・ナットと、幕及びシール材を挟持する二枚の椀状部材とを有するので、幕の固定と防水を図ることができ、幕を強く張っても幕支持部材から頂部がずれてしまう恐れがない。
【図面の簡単な説明】
【図１】幕を省略したテントの斜視図である。
【図２】継手部の断面図である。
【図３】他の実施形態の継手部の断面図である。
【図４】内管を支持する基礎部の平面図である。
【図５】図４のＶ−Ｖ断面を示す断面図である。
【図６】幕支持部材の断面図である。
【符号の説明】
１  テント
２  柱材
２ａ  外管
２ｂ  内管
１７  継手部
１８  ピン
１９  基礎部
２０  ポール
２１  幕支持部材
２２  幕
【図１】
0003697399.tif 000002
【図２】
0003697399.tif 000003
【図３】
0003697399.tif 000004
【図４】
0003697399.tif 000005
【図５】
0003697399.tif 000006
【図６】
0003697399.tif 000007